(57)【要約】【課題】容易に誤送信を防止する。【解決手段】宛先情報復号化部５０は、画像読取装置１０２から原稿画像データを受け入れ、原稿画像４０に付された宛先情報画像４００を抽出して復号化し、復号化した宛先情報を出力する。復号化判定部５２は、宛先情報復号化部５０が復号化を正常に実施できたか否かを判定し、復号化が正常に実施されている場合には宛先情報を一致判定部５４に対して出力し、復号化が正常に実施されていない場合にはその旨を示す信号をＣＰＵ２０内に出力する。一致判定部５４は、復号化判定部５２から入力される宛先情報と、ＵＩ装置１００から入力される宛先情報とを比較して互いに一致するか否かを判定し、判定結果を示す信号をＣＰＵ２０内に出力する。ＣＰＵ２０は、宛先情報が一致する判定を受け入れると、通信装置を介して原稿画像を送信する。【選択図】図４
2007194710.tif 000002
【特許請求の範囲】
【請求項１】
原稿画像に付された数字以外の宛先情報に基づいて、原稿画像の宛先を取得する宛先取得手段と、原稿画像に対する宛先の入力を受け入れる宛先入力手段と、この宛先入力手段が受け入れた宛先と前記宛先取得手段が取得した宛先とが一致するか否かを判定する一致判定手段と、この一致判定手段の判定結果に応じて原稿画像を送信する送信手段とを有する画像送信装置。
【請求項２】
符号化された宛先情報を付された原稿画像を読み取る画像読取手段と、この画像読取手段が読み取った原稿画像に付された宛先情報を復号化する宛先情報復号化手段と、原稿画像に対する宛先情報の入力を受け入れる宛先情報入力手段と、この宛先情報入力手段が受け入れた宛先情報と前記宛先情報復号化手段が復号化した宛先情報とが一致するか否かを判定する一致判定手段と、この一致判定手段の判定結果に応じて原稿画像を送信する送信手段とを有する画像送信装置。
【請求項３】
前記宛先情報入力手段が受け入れた宛先情報と前記宛先情報復号化手段が復号化した宛先情報とが一致しないと前記一致判定手段が判定した場合に、前記宛先情報復号化手段が復号化した宛先情報を出力する宛先情報出力手段をさらに有する請求項２記載の画像送信装置。
【請求項４】
前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求する前後に前記宛先情報入力手段が受け入れた宛先情報が互いに一致する場合に、前記宛先情報入力手段が受け入れた宛先情報に応じて原稿画像を送信するように前記送信手段を制御する制御手段とをさらに有する請求項２又は３記載の画像送信装置。
【請求項５】
前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求した後に前記宛先情報入力手段が受け入れた宛先情報が、前記宛先情報復号化手段が復号化した宛先情報に一致するまで、前記再入力要求手段が再入力を要求するよう制御する制御手段とをさらに有する請求項２又は３記載の画像送信装置。
【請求項６】
前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求した後に前記宛先情報入力手段が受け入れた宛先情報に応じて原稿画像を送信するように前記送信手段を制御する制御手段とをさらに有する請求項２又は３記載の画像送信装置。
【請求項７】
前記宛先情報復号化手段が宛先情報の復号化を正常に実施できたか否かを判定する復号化判定手段と、前記宛先情報復号化手段が宛先情報の復号化を正常に実施できなかったと前記復号化判定手段が判定した場合、前記宛先情報入力手段が受け入れた宛先情報を表示する表示手段と、この表示手段が表示した宛先情報に基づいて原稿画像を送信すべきか否かを前記送信手段に対して指示する入力を受け入れる送信指示入力手段とをさらに有する請求項２又は３記載の画像送信装置。
【請求項８】
前記宛先情報復号化手段が宛先情報の復号化を正常に実施できたか否かを判定する復号化判定手段と、前記宛先情報復号化手段が宛先情報の復号化を正常に実施できなかったと前記復号化判定手段が判定した場合に、前記宛先情報入力手段に対する宛先情報の再入力を要求する再入力要求手段と、この再入力要求手段が再入力を要求する前後に前記宛先情報入力手段が受け入れた宛先情報が互いに一致する場合に、前記宛先情報入力手段が受け入れた宛先情報に応じて原稿画像を送信するように前記送信手段を制御する制御手段とをさらに有する請求項２又は３記載の画像送信装置。
【請求項９】
原稿画像に付された宛先情報は、宛先を示すファックス番号である請求項２乃至８いずれか記載の画像送信装置。
【請求項１０】
原稿画像に付された宛先情報は、宛先を示すメールアドレスである請求項２乃至８いずれか記載の画像送信装置。
【請求項１１】
原稿画像に付された宛先情報は、送信元情報を含むものである請求項９又は１０記載の画像送信装置。
【請求項１２】
原稿画像に付された宛先情報は、二次元コードである請求項２乃至１１いずれか記載の画像送信装置。
【請求項１３】
原稿画像に付された宛先情報は、一次元コードである請求項２乃至１１いずれか記載の画像送信装置。
【発明の詳細な説明】
【技術分野】
【０００１】
本発明は、画像を送信する画像送信装置に関するものである。
【背景技術】
【０００２】
原稿画像の誤送信を防止するファクシミリ装置が知られている。この種のファクシミリ装置において、操作部上の入力キーにより入力された電話番号と文字認識機能によって認識された原稿上の電話番号とを比較することにより、原稿画像の誤送信を防止することは公知である（特許文献１参照）。また、領域を示す識別マークを付した送信先の番号を記述した原稿に対して、識別マークを認識することによってファクシミリ番号を認識し、誤送信を防止することは公知である（特許文献２参照）。
【０００３】
【特許文献１】特開平９−５５８４０号公報
【特許文献２】特開２００４−９６４１２号公報
【発明の開示】
【発明が解決しようとする課題】
【０００４】
しかしながら、特許文献１に記載の従来例においては、画像データの文字認識を行う認識領域を操作者が枠指定しなければならないという問題があった。また、特許文献２に記載の従来例においては、認識したファクシミリ番号が正しいか否かを操作者が判断しなければならない。
【０００５】
そこで、本発明は、容易に誤送信を防止することができる画像送信装置を提供することを目的とする。
【課題を解決するための手段】
【０００６】
上記目的を達成するため、本発明の第１の特徴とするところは、原稿画像に付された数字以外の宛先情報に基づいて、原稿画像の宛先を取得する宛先取得手段と、原稿画像に対する宛先の入力を受け入れる宛先入力手段と、この宛先入力手段が受け入れた宛先と前記宛先取得手段が取得した宛先とが一致するか否かを判定する一致判定手段と、この一致判定手段の判定結果に応じて原稿画像を送信する送信手段とを有する画像送信装置にある。即ち、一致判定手段が原稿画像に付された宛先情報に基づく宛先と入力された宛先とを照合するとともに、ユーザに対する意味を持たない数字による宛先情報どうしが一致するか否かを直接判定することがなくなるので、宛先の入力ミスによる誤送信を容易に防止することができる。したがって、ユーザが原稿上の間違ったファックス番号を見ながら宛先を入力することによって、間違ったファックス番号を入力してしまうことも防止することができる。
【０００７】
また、本発明の第２の特徴とするところは、符号化された宛先情報を付された原稿画像を読み取る画像読取手段と、この画像読取手段が読み取った原稿画像に付された宛先情報を復号化する宛先情報復号化手段と、原稿画像に対する宛先情報の入力を受け入れる宛先情報入力手段と、この宛先情報入力手段が受け入れた宛先情報と前記宛先情報復号化手段が復号化した宛先情報とが一致するか否かを判定する一致判定手段と、この一致判定手段の判定結果に応じて原稿画像を送信する送信手段とを有する画像送信装置にある。
【０００８】
好適には、前記宛先情報入力手段が受け入れた宛先情報と前記宛先情報復号化手段が復号化した宛先情報とが一致しないと前記一致判定手段が判定した場合に、前記宛先情報復号化手段が復号化した宛先情報を出力する宛先情報出力手段をさらに有する。
【０００９】
また、好適には、前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求する前後に前記宛先情報入力手段が受け入れた宛先情報が互いに一致する場合に、前記宛先情報入力手段が受け入れた宛先情報に応じて原稿画像を送信するように前記送信手段を制御する制御手段とをさらに有する。
【００１０】
また、好適には、前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求した後に前記宛先情報入力手段が受け入れた宛先情報が、前記宛先情報復号化手段が復号化した宛先情報に一致するまで、前記再入力要求手段が再入力を要求するよう制御する制御手段とをさらに有する。
【００１１】
また、好適には、前記宛先情報入力手段が受け入れた宛先情報と前記宛先情報復号化手段が復号化した宛先情報とが一致しないと前記一致判定手段が判定した場合に、前記宛先情報入力手段に対する宛先情報の再入力を要求する再入力要求手段と、この再入力要求手段が再入力を要求した後に前記宛先情報入力手段が受け入れた宛先情報に応じて原稿画像を送信するように前記送信手段を制御する制御手段とをさらに有する。
【００１２】
また、好適には、前記宛先情報復号化手段が宛先情報の復号化を正常に実施できたか否かを判定する復号化判定手段と、前記宛先情報復号化手段が宛先情報の復号化を正常に実施できなかったと前記復号化判定手段が判定した場合、前記宛先情報入力手段が受け入れた宛先情報を表示する表示手段と、この表示手段が表示した宛先情報に基づいて原稿画像を送信すべきか否かを前記送信手段に対して指示する入力を受け入れる送信指示入力手段とをさらに有する。
【００１３】
また、好適には、前記宛先情報復号化手段が宛先情報の復号化を正常に実施できたか否かを判定する復号化判定手段と、前記宛先情報復号化手段が宛先情報の復号化を正常に実施できなかったと前記復号化判定手段が判定した場合に、前記宛先情報入力手段に対する宛先情報の再入力を要求する再入力要求手段と、この再入力要求手段が再入力を要求する前後に前記宛先情報入力手段が受け入れた宛先情報が互いに一致する場合に、前記宛先情報入力手段が受け入れた宛先情報に応じて原稿画像を送信するように前記送信手段を制御する制御手段とをさらに有する。  
【００１４】
また、好適には、原稿画像に付された宛先情報は、宛先を示すファックス番号又はメールアドレスである。
【００１５】
また、好適には、原稿画像に付された宛先情報は、送信元情報を含むものである。
【００１６】
また、好適には、原稿画像に付された宛先情報は、二次元コード又は一次元コードである。
【発明の効果】
【００１７】
本発明によれば、容易に誤送信を防止することができる。
【発明を実施するための最良の形態】
【００１８】
次に、本発明の実施形態を図面に基づいて説明する。
図１は、画像送信システム１の概要を示す構成図である。画像送信システム１は、例えば画像形成装置１０、サーバ１２、ＰＣ（パーソナルコンピュータ）１４、及び通信回線網（ネットワーク）３を介して画像形成装置１０に接続される画像形成装置１６とを有する。
【００１９】
画像形成装置１０は、例えばファクシミリ（ＦＡＸ）、プリンタ及び複写機等の機能を有する複合機（ＭＦＰ）である。画像形成装置１０は、ＰＣ１４などからの印刷指示に応じて用紙などの記録媒体４に後述する宛先情報画像４００を有する画像を印刷すると共に、後述する画像読取装置１０２により記録媒体４を読み取った画像、又はＰＣ１４から入力された画像（画像データ）をＦＡＸ機能により通信回線網３を介して画像形成装置１６に対し送信する。
【００２０】
サーバ１２は、図示しないＣＰＵ及びメモリなどを有し、画像形成装置１０，１６のファクシミリ番号などの画像送信システム１で用いる情報を記憶し、画像形成装置１０などに対する処理を行う。ＰＣ１４は、画像形成装置１０のプリンタドライバなどもインストールされている。
【００２１】
画像形成装置１６は、例えば画像形成装置１０と同様にファクシミリ（ＦＡＸ）、プリンタ及び複写機等の機能を有する複合機（ＭＦＰ）であり、画像形成装置１０から送信された画像などを通信回線網３を介して受信する。
【００２２】
次に、画像形成装置１０，１６の詳細について説明する。
図２は、画像形成装置１０，１６の構成を示す構成図である。画像形成装置１０は、表示装置及びキーボードなどを含むユーザインタフェース装置（ＵＩ装置）１００、スキャナなどの画像読取装置１０２、ＨＤＤ・ＣＤ装置などの記憶装置１０４、印刷装置１０６、ＦＡＸモデム及びＬＡＮポートなど複数のネットワークインターフェイスを具備する通信装置１０８並びに制御装置２などから構成される。制御装置２は、ＣＰＵ２０及びメモリ２２などを含み、画像形成装置１０を構成する各部を制御する。このように、画像形成装置１０は、コンピュータとしての機能を有し、記憶媒体１１０又は通信装置１０８を介して供給されるソフトウェアに応じて動作し、原稿画像を送信する例えばＦＡＸなどの画像送信装置としてユーザに使用される。
【００２３】
画像形成装置１６は、画像形成装置１０と略同様のハードウェア構成にされている。つまり、画像形成装置１６は、コンピュータとしての機能を有し、記憶媒体１１０又は通信装置１０８を介して供給されるソフトウェアに応じて動作し、原稿画像を受信する例えばＦＡＸとしてユーザに使用される。
【００２４】
図３は、画像形成装置１０が画像形成装置１６に対して送信する原稿画像４０の画像例である。
図３に示すように、画像形成装置１０が送信する原稿画像４０には、例えばＱＲコード（登録商標）などの宛先情報画像４００が付されている。
宛先情報画像４００は、例えばＰＣ１４又は画像形成装置１０が有するＱＲコード生成プログラムが画像形成装置１６を画像送信の宛先とする情報を符号化した数字以外の画像であり、画像形成装置１０によって原稿画像４０上の任意の位置に配置され、原稿画像４０とともに記録媒体４上に印刷される。宛先情報画像４００が有する符号化された情報は、例えば画像形成装置１６のファックス番号又はメールアドレスなどである。
【００２５】
また、宛先情報画像４００は、例えば一次元コードなどの画像であってもよいし、送信元としての画像形成装置１０又は画像形成装置１０を介して画像送信するユーザを示す情報を含む画像であってもよい。
【００２６】
図４は、画像形成装置１０がＦＡＸとして動作する場合に、制御装置２により実行される処理プログラム５の構成を示すプログラム構成図である。
図４に示すように、処理プログラム５は、宛先情報復号化部５０、復号化判定部５２及び一致判定部５４から構成される。
宛先情報復号化部５０は、画像読取装置１０２が読み取った原稿画像データを受け入れ、原稿画像４０に付された宛先情報画像４００を抽出して復号化し、復号化した例えばファックス番号などの宛先情報を復号化判定部５２に対して出力する。
【００２７】
復号化判定部５２は、宛先情報復号化部５０から入力される宛先情報が妥当なものであるか否かを判定することにより、宛先情報復号化部５０が復号化を正常に実施できたか否かを判定し、復号化が正常に実施されている場合には宛先情報を一致判定部５４に対して出力し、復号化が正常に実施されていない場合にはその旨を示す信号をＣＰＵ２０内に出力する。
【００２８】
一致判定部５４は、復号化判定部５２から入力される宛先情報と、ＵＩ装置１００から入力される例えばファックス番号などの宛先情報とを比較して互いに一致するか否かを判定し、判定結果を示す信号をＣＰＵ２０内に出力する。
【００２９】
次に、画像形成装置１０がＦＡＸ機能により原稿画像４０を送信する処理について説明する。
図５は、画像形成装置１０がＦＡＸ機能により原稿画像４０を送信する処理例（Ｓ１０）を示すフローチャートである。
図５に示すように、ステップ１００（Ｓ１００）において、画像形成装置１０は、画像読取装置１０２によって原稿画像を読み取る。
【００３０】
ステップ１０２（Ｓ１０２）において、宛先情報復号化部５０は、宛先情報を復号化して取得する。
【００３１】
ステップ１０４（Ｓ１０４）において、ＵＩ装置１００は、ユーザによる宛先情報の入力を受け入れる。
【００３２】
ステップ１０６（Ｓ１０６）において、復号化判定部５２は、宛先情報復号化部５０によって復号化が正常に実施されたか否かを判定し、復号化が正常に実施されている場合にはＳ１１８の処理に進み、復号化が正常に実施されていない場合にはＳ１０８の処理に進む。
【００３３】
ステップ１０８（Ｓ１０８）において、ＵＩ装置１００は、入力を受け入れた宛先情報を表示することにより、宛先情報画像４００の復号化が正常に実施されていないことをユーザに示す。
【００３４】
ステップ１１０（Ｓ１１０）において、ＵＩ装置１００は、宛先情報のユーザによる再入力を要求する表示を行う。
【００３５】
ステップ１１２（Ｓ１１２）において、ＵＩ装置１００は、ユーザによる宛先情報の再入力を受け入れる。
【００３６】
ステップ１１４（Ｓ１１４）において、ＣＰＵ２０は、最初に入力された宛先情報と、再入力された宛先情報とが一致するか否かを判定し、一致する場合にはＳ１２８の処理に進み、一致しない場合にはＳ１１６の処理に進む。
【００３７】
ステップ１１６（Ｓ１１６）において、ＣＰＵ２０は、入力された宛先情報に応じて原稿画像４０を送信すべき指示（送信指示）を例えばＵＩ装置１００を介して受け入れたか否かを判定し、送信指示がある場合にはＳ１２８の処理に進み、送信指示がない場合には処理を終了する。
【００３８】
ステップ１１８（Ｓ１１８）において、ＣＰＵ２０は、宛先情報復号化部５０が復号化した宛先情報と、ＵＩ装置１００を介して受け入れた宛先情報とが一致するか否かを判定し、一致する場合にはＳ１２８の処理に進み、一致しない場合にはＳ１２０の処理に進む。
【００３９】
ステップ１２０（Ｓ１２０）において、ＵＩ装置１００は、宛先情報復号化部５０が復号化した宛先情報を表示することにより、ＵＩ装置１００を介して入力された宛先情報が誤りであることをユーザに示す。
【００４０】
ステップ１２２（Ｓ１２２）において、ＵＩ装置１００は、宛先情報のユーザによる再入力を要求する表示を行う。
【００４１】
ステップ１２４（Ｓ１２４）において、ＵＩ装置１００は、ユーザによる宛先情報の再入力を受け入れる。
【００４２】
ステップ１２６（Ｓ１２６）において、ＣＰＵ２０は、再入力された宛先情報に応じて原稿画像４０を送信すべき指示（送信指示）を例えばＵＩ装置１００を介して受け入れたか否かを判定し、送信指示がある場合にはＳ１２８の処理に進み、送信指示がない場合にはＳ１１８の処理に進む。
【００４３】
ステップ１２８（Ｓ１２８）において、通信装置１０８は、原稿画像を宛先情報に応じて送信する。
【００４４】
このように、例えばＱＲコードである宛先情報画像４００は、原稿画像４０上の任意の位置に配置されても、容易に領域抽出されて精度よく認識されるので、ユーザがＵＩ装置１００を介して入力する宛先情報に対する高精度の比較対照情報となっている。
また、宛先情報画像４００は、サーバ１２が記憶する画像形成装置１６のファクシミリ番号に対応づけられた情報を含み、画像形成装置１０が画像形成装置１６を宛先とする宛先情報を対応表などを用いて取得するようにされてもよい。
【図面の簡単な説明】
【００４５】
【図１】画像送信システムの概要を示す構成図である。
【図２】画像送信装置としての機能を有する画像形成装置の構成を示す構成図である。
【図３】画像形成装置が画像形成装置に対して送信する原稿画像の画像例である。
【図４】画像形成装置がＦＡＸとして動作する場合に、制御装置２により実行される処理プログラムの構成を示すプログラム構成図である。
【図５】画像形成装置がＦＡＸ機能により原稿画像を送信する処理例（Ｓ１０）を示すフローチャートである。
【符号の説明】
【００４６】
１・・・画像送信システム
１０，１６・・・画像形成装置
１００・・・ＵＩ装置
１０２・・・画像読取装置
１０４・・・記憶装置
１０６・・・印刷装置
１０８・・・通信装置
１２・・・サーバ
１４・・・ＰＣ
２・・・制御装置
２０・・・ＣＰＵ
２２・・・メモリ
４・・・記録媒体
４０・・・原稿画像
４００・・・宛先情報画像
５・・・処理プログラム
５０・・・宛先情報復号化部
５２・・・復号化判定部
５４・・・一致判定部
【図１】
2007194710.tif 000003
【図２】
2007194710.tif 000004
【図３】
2007194710.tif 000005
【図４】
2007194710.tif 000006
【図５】
2007194710.tif 000007